(57)【要約】【課題】無線通信端末における電力消費を抑制しつつ応答時間を短縮させた上で、基地局からの呼び出しを無線通信端末が確実に把握することができる無線通信方法、無線通信システム、及び無線通信装置を提供する。【解決手段】基地局１１が、端末１２から端末１２の受信状態を示す情報を取得し、端末１２への着呼情報を所定の送信間隔で送信し、端末１２が、着呼情報の受信動作を所定の受信間隔で実行し、基地局１１が、着呼情報を端末１２が受信したか否かを判断し、着呼情報を端末１２が受信していない場合、端末１２の受信状態を示す情報に基づいて送信間隔を短縮し、端末１２に受信間隔を短縮させるための情報を報知情報に含めて送信し、端末１２が、報知情報を受信した場合、受信間隔を短縮し、基地局１１が、短縮した送信間隔で、着呼情報を送信する。【選択図】図１
2008211628.tif 000002
【特許請求の範囲】
【請求項１】
第１の無線通信装置と第２の無線通信装置が無線通信を行う無線通信方法において、
前記第１の無線通信装置が、
前記第２の無線通信装置から前記第２の無線通信装置の受信状態を示す情報を取得する受信状態情報取得ステップと、
前記第２の無線通信装置への着呼情報を所定の送信間隔で送信する第１の着呼情報送信ステップと、
前記第２の無線通信装置が、
前記着呼情報の受信動作を所定の受信間隔で実行する着呼情報受信動作ステップと、
前記第１の無線通信装置が、
前記着呼情報を前記第２の無線通信装置が受信したか否かを判断する判断ステップと、
前記着呼情報を前記第２の無線通信装置が受信していないと判断した場合、
前記第２の無線通信装置の受信状態を示す情報に基づいて、前記送信間隔を短縮する送信間隔短縮ステップと、
前記第２の無線通信装置に前記受信間隔を短縮させるための情報を、報知情報に含めて送信する報知情報送信ステップと、
前記第２の無線通信装置が、
前記報知情報を受信した場合、前記受信間隔を短縮する受信間隔短縮ステップと、
前記第１の無線通信装置が、
前記短縮した送信間隔で、前記着呼情報を送信する第２の着呼情報送信ステップと、
を含むことを特徴とする無線通信方法。
【請求項２】
前記第１の無線通信装置が複数の前記第２の無線通信装置と無線通信を行う場合、
前記受信状態情報取得ステップでは、
前記第１の無線通信装置が、前記第２の無線通信装置の受信状態を示す情報と、前記第２の無線通信装置の識別情報を取得し、
前記報知情報送信ステップでは、
前記第１の無線通信装置が、前記第２の無線通信装置に前記受信間隔を短縮させるための情報と、前記着呼情報の受信間隔を短縮させる対象となる前記第２の無線通信装置の前記識別情報を、報知情報に含めて送信し、
前記受信間隔短縮ステップでは、
前記第２の無線通信装置が、前記報知情報を受信した場合、
前記報知情報に含まれた前記識別情報から、前記第２の無線通信装置が前記着呼情報の受信間隔を短縮させる対象であるか否かを判断するステップと、
前記受信間隔を短縮させる対象が前記第２の無線通信装置である場合、前記受信間隔を短縮するステップと、
を含むことを特徴とする請求項１に記載の無線通信方法。
【請求項３】
前記第２の無線通信装置の受信状態を示す情報は、
前記第２の無線通信装置が、前記第１の無線通信装置から送信される着呼情報の受信に必要とする電力を示す情報であり、前記第１の無線通信装置は、前記第２の無線通信装置の受信状態を示す情報に基づいて、前記着呼情報の送信間隔を短縮し、且つ、前記第２の無線通信装置の受信間隔を短縮させる、
ことを特徴とする請求項１または２に記載の無線通信方法。
【請求項４】
前記送信間隔短縮ステップは、前記着呼情報に基づいて通信するセッションの優先度に基づいて前記送信間隔を制御することを特徴とする請求項１から３のいずれか一項に記載の無線通信方法。
【請求項５】
前記第１の無線通信装置と前記第２の無線通信装置とがデータチャネルを介して接続された場合、前記第１の無線通信装置が、前記短縮した送信間隔を前記所定の間隔に戻し、且つ、前記第２の無線通信装置が前記短縮した受信間隔を前記所定の間隔に戻すことを特徴とする請求項１から４のいずれか一項に記載の無線通信方法。
【請求項６】
第１の無線通信装置と第２の無線通信装置が無線通信を行う無線通信システムにおいて、
前記第１の無線通信装置が、
前記第２の無線通信装置から前記第２の無線通信装置の受信状態を示す情報を取得する受信状態情報取得手段と、
前記第２の無線通信装置への着呼情報を所定の送信間隔で送信する第１の着呼情報送信手段と、
前記第２の無線通信装置が、
前記着呼情報の受信動作を所定の受信間隔で実行する着呼情報受信手段と、
前記第１の無線通信装置が、
前記着呼情報を前記第２の無線通信装置が受信したか否かを判断する判断手段と、
前記着呼情報を前記第２の無線通信装置が受信していないと判断した場合、
前記第２の無線通信装置の受信状態を示す情報に基づいて、前記送信間隔を短縮する送信間隔短縮手段と、
前記第２の無線通信装置に前記受信間隔を短縮させるための情報を、報知情報に含めて送信する報知情報送信手段と、
前記第２の無線通信装置が、
前記報知情報を受信した場合、前記受信間隔を短縮する受信間隔短縮手段と、
前記第１の無線通信装置が、
前記短縮した送信間隔で、前記着呼情報を送信する第２の着呼情報送信手段と、
を有することを特徴とする無線通信システム。
【請求項７】
相手側の無線通信装置から前記相手側の無線通信装置の受信状態を示す情報を取得する受信状態情報取得手段と、
前記相手側の無線通信装置への着呼情報を所定の送信間隔で送信する第１の着呼情報送信手段と、
前記着呼情報を前記相手側の無線通信装置が受信したか否かを判断する判断手段と、
前記着呼情報を前記相手側の無線通信装置が受信していないと判断した場合、
前記相手側の無線通信装置の受信状態を示す情報に基づいて、前記送信間隔を短縮する送信間隔短縮手段と、
前記相手側の無線通信装置に前記受信間隔を短縮させるための情報を、報知情報に含めて送信する報知情報送信手段と、
前記短縮した送信間隔で、前記着呼情報を送信する第２の着呼情報送信手段と、
を有することを特徴とする無線通信装置。
【請求項８】
相手側の無線通信装置から所定の送信間隔で送信された着呼情報を所定の受信間隔で受信する着呼情報受信手段と、
前記相手側の無線通信装置から送信された、前記着呼情報の受信間隔を短縮させるための情報が含まれた報知情報を受信した場合、前記受信間隔を短縮する受信間隔短縮手段と、
を有することを特徴とする無線通信装置。
【発明の詳細な説明】
【技術分野】
【０００１】
この発明は、基地局と無線通信端末の間で行われる無線通信方法、基地局と無線通信端末を備えた無線通信システム、及び無線通信システムに備えられる基地局と無線通信端末に関する。
【背景技術】
【０００２】
従来、基地局と無線通信端末の間で行われる無線通信方法が知られている。
図６は、従来の無線通信方法により基地局が端末を呼び出す場合の一例を示す説明図である。ここでは、認証局から受信した証明書を使用しないときのマルチセッション接続を示している。図６に示すように、例えば、基地局１は、端末（無線通信端末）２を呼び出したいが、端末２との間にデータチャネルが接続されていない場合、端末２に対しＰａｇｅ情報（ページ）を一定周期で送信（ページ送信）する。
【０００３】
端末２は、基地局１のページ送信間隔に同期してページを受信（ページ受信）することで、基地局１からの呼び出しであることを認識し、データチャネル接続シーケンス制御に入る。また、基地局１は、ページと独立して報知情報を送信し、端末２に基地局１の情報を通知している。端末２は、報知情報の受信間隔毎に報知情報を受信している。
このような、基地局１が端末２を呼び出す方法の一例として、「コードレス電話システム及びこのシステムを使用した注文データ管理システム」（特許文献１参照）がある。
【０００４】
この「コードレス電話システム及びこのシステムを使用した注文データ管理システム」においては、外部電源に直接接続した子機を登録する基地局よりも、電源を内蔵した携帯型の子機を登録する基地局への、子機に対する制御信号である一斉呼び出しチャネルの送信間隔を短縮することで、リンク確立までの時間を短縮している。また、外部電源に直接接続した子機よりも、電源を内蔵した子機の１スーパーフレーム内に受信するＰＣＨ（Ｐａｇｅ  ＣＨａｎｎｅｌ）数を少なくさせることで、電源を内蔵した携帯型子機の電池電力の消耗を抑えつつ、外部電源に直接接続した子機のリンク確立までの時間を短縮させている。
【特許文献１】特開平１１−３４１５６３号公報
【発明の開示】
【発明が解決しようとする課題】
【０００５】
しかしながら、従来の「コードレス電話システム及びこのシステムを使用した注文データ管理システム」においては、無線通信端末等、電波状況に左右され易い環境下で、子機に対する一斉呼び出しチャネルの送信間隔を短縮しただけでは、子機が一斉呼び出しを受信できない場合、子機は、自分に対する呼び出しが送信されていることを把握することができず、基地局に対する接続要求ができない。
図７は、図６において、端末がページの受信に失敗している場合を示す説明図である。図７に示すように、基地局１がページ送信を行って端末２を呼び出しても、端末２がページの受信に失敗してページ未受信となってしまい、端末２は基地局１から呼び出されていることを認識することができない。
【０００６】
また、携帯型子機における電力の消耗を抑えるために、受信するＰＣＨ数を削減させていることから、接続まで時間を要することとなって、即応性を求められるＶｏＩＰ（Ｖｏｉｃｅ  ｏｖｅｒ  Ｉｎｔｅｒｎｅｔ  Ｐｒｏｔｏｃｏｌ）着信等に対応することができない。
この発明の目的は、無線通信端末における電力消費を抑制しつつ応答時間を短縮させた上で、基地局からの呼び出しを無線通信端末が確実に把握することができる無線通信方法、無線通信システム、及び無線通信装置を提供することである。
【課題を解決するための手段】
【０００７】
上記目的を達成するため、この発明に係る無線通信方法は、第１の無線通信装置と第２の無線通信装置が無線通信を行う無線通信方法において、前記第１の無線通信装置が、前記第２の無線通信装置から前記第２の無線通信装置の受信状態を示す情報を取得する受信状態情報取得ステップと、前記第２の無線通信装置への着呼情報を所定の送信間隔で送信する第１の着呼情報送信ステップと、前記第２の無線通信装置が、前記着呼情報の受信動作を所定の受信間隔で実行する着呼情報受信動作ステップと、前記第１の無線通信装置が、前記着呼情報を前記第２の無線通信装置が受信したか否かを判断する判断ステップと、前記着呼情報を前記第２の無線通信装置が受信していないと判断した場合、前記第２の無線通信装置の受信状態を示す情報に基づいて、前記送信間隔を短縮する送信間隔短縮ステップと、前記第２の無線通信装置に前記受信間隔を短縮させるための情報を、報知情報に含めて送信する報知情報送信ステップと、前記第２の無線通信装置が、前記報知情報を受信した場合、前記受信間隔を短縮する受信間隔短縮ステップと、前記第１の無線通信装置が、前記短縮した送信間隔で、前記着呼情報を送信する第２の着呼情報送信ステップと、を含むことを特徴している。
【０００８】
また、この発明は、前記第１の無線通信装置が複数の前記第２の無線通信装置と無線通信を行う場合、前記受信状態情報取得ステップでは、前記第１の無線通信装置が、前記第２の無線通信装置の受信状態を示す情報と、前記第２の無線通信装置の識別情報を取得し、前記報知情報送信ステップでは、前記第１の無線通信装置が、前記第２の無線通信装置に前記受信間隔を短縮させるための情報と、前記着呼情報の受信間隔を短縮させる対象となる前記第２の無線通信装置の前記識別情報を、報知情報に含めて送信し、前記受信間隔短縮ステップでは、前記第２の無線通信装置が、前記報知情報を受信した場合、前記報知情報に含まれた前記識別情報から、前記第２の無線通信装置が前記着呼情報の受信間隔を短縮させる対象であるか否かを判断するステップと、前記受信間隔を短縮させる対象が前記第２の無線通信装置である場合、前記受信間隔を短縮するステップと、を含むことが好ましい。
【０００９】
また、この発明は、前記第２の無線通信装置の受信状態を示す情報は、前記第２の無線通信装置が、前記第１の無線通信装置から送信される着呼情報の受信に必要とする電力を示す情報であり、前記第１の無線通信装置は、前記第２の無線通信装置の受信状態を示す情報に基づいて、前記着呼情報の送信間隔を短縮し、且つ、前記第２の無線通信装置の受信間隔を短縮させることが好ましい。
また、この発明は、前記送信間隔短縮ステップは、前記着呼情報に基づいて通信するセッションの優先度に基づいて前記送信間隔を制御することことが好ましい。
また、この発明は、前記第１の無線通信装置と前記第２の無線通信装置とがデータチャネルを介して接続された場合、前記第１の無線通信装置が、前記短縮した送信間隔を前記所定の間隔に戻し、且つ、前記第２の無線通信装置が前記短縮した受信間隔を前記所定の間隔に戻すことが好ましい。
【００１０】
この発明に係る無線通信システムは、第１の無線通信装置と第２の無線通信装置が無線通信を行う無線通信システムにおいて、前記第１の無線通信装置が、前記第２の無線通信装置から前記第２の無線通信装置の受信状態を示す情報を取得する受信状態情報取得手段と、前記第２の無線通信装置への着呼情報を所定の送信間隔で送信する第１の着呼情報送信手段と、前記第２の無線通信装置が、前記着呼情報の受信動作を所定の受信間隔で実行する着呼情報受信手段と、前記第１の無線通信装置が、前記着呼情報を前記第２の無線通信装置が受信したか否かを判断する判断手段と、前記着呼情報を前記第２の無線通信装置が受信していないと判断した場合、前記第２の無線通信装置の受信状態を示す情報に基づいて、前記送信間隔を短縮する送信間隔短縮手段と、前記第２の無線通信装置に前記受信間隔を短縮させるための情報を、報知情報に含めて送信する報知情報送信手段と、前記第２の無線通信装置が、前記報知情報を受信した場合、前記受信間隔を短縮する受信間隔短縮手段と、前記第１の無線通信装置が、前記短縮した送信間隔で、前記着呼情報を送信する第２の着呼情報送信手段と、を有することを特徴している。
【００１１】
また、この発明に係る無線通信装置は、相手側の無線通信装置から前記相手側の無線通信装置の受信状態を示す情報を取得する受信状態情報取得手段と、前記相手側の無線通信装置への着呼情報を所定の送信間隔で送信する第１の着呼情報送信手段と、前記着呼情報を前記相手側の無線通信装置が受信したか否かを判断する判断手段と、前記着呼情報を前記相手側の無線通信装置が受信していないと判断した場合、前記相手側の無線通信装置の受信状態を示す情報に基づいて、前記送信間隔を短縮する送信間隔短縮手段と、前記相手側の無線通信装置に前記受信間隔を短縮させるための情報を、報知情報に含めて送信する報知情報送信手段と、前記短縮した送信間隔で、前記着呼情報を送信する第２の着呼情報送信手段と、を有することを特徴としている。
【００１２】
また、この発明に係る無線通信装置は、相手側の無線通信装置から所定の送信間隔で送信された着呼情報を所定の受信間隔で受信する着呼情報受信手段と、前記相手側の無線通信装置から送信された、前記着呼情報の受信間隔を短縮させるための情報が含まれた報知情報を受信した場合、前記受信間隔を短縮する受信間隔短縮手段と、を有することを特徴としている。
【発明の効果】
【００１３】
この発明によれば、無線通信端末における電力消費を抑制しつつ応答時間を短縮させた上で、基地局からの呼び出しを無線通信端末が確実に把握することができる。
【発明を実施するための最良の形態】
【００１４】
以下、この発明を実施するための最良の形態について図面を参照して説明する。
図１は、この発明の一実施の形態に係る無線通信方法を示す説明図である。図１に示すように、無線通信システム１０は、基地局（第１の無線通信装置）１１及び端末（無線通信端末、第２の無線通信装置）１２を有しており、基地局１１と端末１２の間で無線通信を行う。
基地局１１は、端末１２とデータチャネルを接続していない場合、端末１２を呼び出すため、Ｐａｇｅ情報（ページ）を端末１２へ送信する。このとき、基地局１１からは、ページ送信間隔ｘでページが送信される。
【００１５】
基地局１１からのページ送信に対して、端末１２はページを受信することができず（ページ未受信）、セッションＩＤ群情報を含む報知情報送信に対しては、当該報知情報を受信することができる。つまり、端末１２において、ページは受信できないが報知情報は受信できる。これは、ページ（ＰＣＨ：Ｐａｇｅ  ＣＨａｎｎｅｌ）と報知情報（ＢＣＨ）の送信を異なるキャリアを用いて行っているからである。
なお、基地局１１は、送信したページの応答の有無に関係なく、必要とする端末情報の電力制御レベル（図１での電力制御レベルは２）に対応したセッションＩＤ（ＩＤｅｎｔｉｆｉｃａｔｉｏｎ）群情報に、セッションＩＤ情報（図１でのセッションＩＤは“Ａ”）を設定する。ここで、電力制御レベル１はα秒間隔ページ受信、電力制御レベル２はβ秒間隔ページ受信、電力制御レベル３はγ秒間隔ページ受信である。
【００１６】
電力制御レベルとは、端末１２のページ受信において、
（１）ページの受信間隔が短い場合、端末１２の受信に要する処理回数が多いため、この受信に必要とする電力量は大きくなる。
（２）ページの受信間隔が長い場合、端末１２の受信に要する処理回数は少ないため、この受信に必要とする電力量は小さくなる。
に対応するために設定されているものであり、電力制御レベルが大きいとは、（１）を意味する。基地局１１は、端末１２を、通信接続に当たって事前にレジストレーションするとき、端末１２の識別情報と端末１２の電力制御レベル情報を取得する。この電力制御レベル情報は、端末１２における、単位時間当たりのページ受信に必要とする電力量と単位時間当たりのページ受信回数（間欠受信間隔）が一緒に含まれている。
【００１７】
セッションＩＤ情報を設定した後、基地局１１は、セッションＩＤ：Ａに対するページの送信間隔をｘからβへ変更する。
端末１２は、基地局１１からの報知情報受信時に、各電力制御レベルの箇所に自端末のセッションＩＤが登録されているかどうかを確認し、登録されていれば、登録されている電力制御レベル（図１での電力制御レベルは２）に応じてページ受信間隔をｘからβへ変更する。
【００１８】
端末１２が、報知情報に含まれる電力制御レベル毎に設定されているセッションＩＤ群情報を確認することにより、ページの受信間隔を短縮しているが、このとき、端末１２は、電力制御レベル毎にページの受信間隔の短縮度合いを予め記憶していて、どのレベルに自分が該当するかを知るだけで受信間隔を短縮してもよく、また、電力制御レベル毎に基地局１１が定めた、ページの受信間隔の短縮度合いをセッションＩＤ群情報と併せて取得し、受信間隔を短縮してもよい。
そして、端末１２は、ページを受信できた場合、基地局１１にデータチャネル接続要求を送信し、基地局１１は、データチャネル接続要求受信後、端末１２にデータチャネル接続応答を送信する。これにより、通話に必要なデータチャネルの接続が可能になる。
【００１９】
このページ送信する際の送信間隔及び受信間隔は、端末１２の電動制御レベル情報と、セッションの内容、例えばＶｏＩＰ等により調整されるものであり、セッションのＱｏＳ（Ｑｕａｌｉｔｙ  ｏｆ  Ｓｅｒｖｉｃｅ）によっては、端末着信時以外にもページ受信間隔の短い動作が望ましいものもあるので、セッション接続後、セッションのＱｏＳが変化した場合に対応して、電力制御レベルを指定させる。
なお、データチャネル接続完了後、ページの送信間隔及び受信間隔は、基地局１１と端末１２の双方で変更前の状態に戻すこととする。つまり、端末１２と基地局１１は、ＴＣＨ（Ｔｒａｆｆｉｃ  ＣＨａｎｎｅｌ）の接続を行った時点で、各自の判断で送信間隔及び受信間隔を元の周期に戻す。
【００２０】
図２は、図１の無線通信システムの概略構成を示すブロック図である。図２に示すように、基地局１１は、基地局制御部１３、報知情報送信部１４、ページ送信部１５、受信状態情報受信部１６、及びデータチャネル接続情報送受信部１７を有しており、端末１２は、報知情報受信部１８、ページ受信部１９、端末制御部２０、受信状態情報送信部２１、及びデータチャネル接続情報送受信部２２を有している。
基地局制御部１３は、端末１２を含む呼び出す必要のある端末のセッションＩＤ及び電力制御レベル通知を報知情報送信部１４へ、ページ送信要求及びページ送信間隔変更情報をページ送信部１５へ、それぞれ出力する。セッションＩＤ及び電力制御レベル通知を受信した報知情報送信部１４は、受信したセッションＩＤ及び電力制御レベルを含めた報知情報を端末１２の報知情報受信部１８へ出力する。ページ送信要求及びページ送信間隔変更情報を受信したページ送信部１５は、ページ情報を端末１２のページ受信部１９へ送信する。
【００２１】
受信状態情報受信部１６は、端末１２の受信状態情報送信部２１からの受信状態情報を基地局制御部１３へ出力する。データチャネル接続情報送受信部１７は、基地局制御部１３へデータチャネル接続要求情報を出力し、基地局制御部１３からデータチャネル接続応答情報が入力する。データチャネル接続応答情報が入力されたデータチャネル接続情報送受信部１７は、データチャネル接続応答を、端末１２のデータチャネル接続情報送受信部２２へ出力する。また、データチャネル接続情報送受信部１７は、基地局制御部１３へデータチャネル接続要求情報を出力する。
【００２２】
報知情報受信部１８は、報知情報送信部１４からの報知情報が入力されることにより、報知情報に含まれるセッションＩＤ及び電力制御レベル通知を端末制御部２０へ出力する。ページ受信部１９は、ページ送信部１５からのページ情報が入力されることにより、ページ情報受信通知を端末制御部２０へ出力する。端末制御部２０は、報知情報受信部１８から入力されるセッションＩＤ及び電力制御レベル通知に応じて、ページ受信部１９へ、ページ受信間隔変更情報を出力する。端末制御部２０は、受信状態情報の送信要求情報を受信状態情報送信部２１へ出力する。
【００２３】
受信状態情報送信部２１は、受信状態情報の送信要求情報が入力されることにより、受信状態情報を基地局１１の受信状態情報受信部１６へ出力する。基地局１１のデータチャネル接続情報送受信部１７から、データチャネル接続応答が入力されたデータチャネル接続情報送受信部２２は、端末制御部２０へデータチャネル接続応答情報を出力する。また、データチャネル接続情報送受信部２２には、端末制御部２０からデータチャネル接続要求情報が入力される。データチャネル接続要求情報が入力されたデータチャネル接続情報送受信部２２は、データチャネル接続要求を、基地局１１のデータチャネル接続情報送受信部１７へ出力する。
【００２４】
つまり、基地局１１は、端末１２から端末１２の受信状態を示す情報を取得する受信状態情報取得手段（受信状態情報受信部１６）と、端末１２への着呼情報を所定の送信間隔で送信する第１の着呼情報送信手段（ページ送信部１５）と、着呼情報を端末１２が受信したか否かを判断する判断手段（基地局制御部１３）と、着呼情報を端末１２が受信していないと判断した場合、端末１２の受信状態を示す情報に基づいて、送信間隔を短縮する送信間隔短縮手段（基地局制御部１３）と、着呼情報の受信間隔を端末１２に短縮させる情報を含む報知情報を送信する報知情報送信手段（報知情報送信部１４）と、短縮した送信間隔で、着呼情報を送信する第２の着呼情報送信手段（ページ送信部１５）と、を有している。
【００２５】
端末１２は、着呼情報を所定の受信間隔で受信する着呼情報受信手段（ページ受信部１９）と、報知情報を受信した場合、受信間隔を短縮する受信間隔短縮手段（端末制御部２０）と、を有している。
図３は、基地局における端末との接続処理の流れを示すフローチャートである。ここで、端末１２は、基地局１１との間で通信を確立するにあたり、まず、基地局１１の登録要求を行い、基地局１１は、当該要求に基づいて端末１２を登録している。図３に示すように、先ず、端末１２を呼び出す必要があるか否かを判断する（ステップＳ１０１）。判断の結果、呼び出す必要がない（ｎｏ）場合、判断を繰り返し、ＶｏＩＰ等による発呼が生じ、呼び出す必要がある（ｙｅｓ）場合、端末１２との間にデータチャネルが存在するか否かを判断する（ステップＳ１０２）。判断の結果、データチャネルが存在する（ｙｅｓ）場合、ステップＳ１０１へ戻り、データチャネルが存在しない（ｎｏ）場合、ページを送信するタイミングか否かを判断する（ステップＳ１０３）。
【００２６】
次に、ステップＳ１０３における判断の結果、送信するタイミングでない（ｎｏ）場合、判断を繰り返し、送信するタイミングである（ｙｅｓ）場合、ページを端末１２に送信する（ステップＳ１０４）。
その後、前記登録（レジストレーション）時に取得した電力制御レベル情報から端末１２の必要とする電力制御レベル情報を定め、定めた電力制御レベルに対応するページ送信間隔へ変更し（ステップＳ１０５）、続けて、定めた端末１２の必要とする電力制御レベル情報と、セッションＩＤを、報知情報に設定し、送信する（ステップＳ１０６）。
【００２７】
次に、端末１２からデータチャネル接続要求を受信したか否かを判断し（ステップＳ１０７）、データチャネル接続要求を受信しない（ｎｏ）場合、ステップＳ１０３へ戻り、データチャネル接続要求を受信した（ｙｅｓ）場合、端末１２にデータチャネル接続応答を送信し（ステップＳ１０８）、その後、処理を終了する。
図４は、端末における基地局との接続処理の流れを示すフローチャートである。図４に示すように、先ず、ページを受信するタイミングか否かを判断する（ステップＳ２０１）。判断の結果、受信するタイミングである（ｙｅｓ）場合、ページを受信したか否かを判断し（ステップＳ２０２）、判断の結果、ページを受信した（ｙｅｓ）場合、基地局１１にデータチャネル接続要求を送信し（ステップＳ２０３）、その後処理を終了する。
【００２８】
一方、ステップＳ２０１において、受信するタイミングでない（ｎｏ）場合、及びステップＳ２０２において、ページを受信していない（ｎｏ）場合、報知情報を受信するタイミングか否かを判断する（ステップＳ２０４）。判断の結果、受信するタイミングである（ｙｅｓ）場合、報知情報を受信し、セッションＩＤ群情報に自セッションＩＤが含まれているか否かを判断する（ステップＳ２０５）。判断の結果、自セッションＩＤが含まれている（ｙｅｓ）場合、自セッションＩＤが含まれる電力制御レベルからページの受信間隔を変更し（ステップＳ１０６）、その後、ステップＳ２０１へ戻る。
一方、ステップＳ２０４において、受信するタイミングでない（ｎｏ）場合、及びステップＳ２０５において、自セッションＩＤが含まれていない（ｎｏ）場合、ステップＳ２０１へ戻る。
【００２９】
図５は、基地局と端末の間におけるメッセージのやり取りを示すシーケンス図である。図５に示すように、基地局１１から端末１２へページ送信を行い、受信されなかった場合、所定の送話間隔の後に再度、ページ送信を行う。その後、基地局１１から端末１２へ報知情報を送信する。
報知情報送信後、端末１２が報知情報を受信した場合、端末１２は、前に行ったページ受信の場合と受信間隔が異なるようにページの受信間隔を変更し、これに合わせて、基地局１１は、前に行ったページ送信の場合と異なる送信間隔で、基地局１１から端末１２へページ送信を行い、受信されなかった場合、変更後のページ送信間隔で、再度、ページ送信を行う。
受信間隔及び送信間隔を変更した結果、ページ送信が端末１２に受信されると、端末１２から基地局１１へ、データチャネル接続要求が送信される。基地局１１は、データチャネル接続要求を受信すると、端末１２へデータチャネル接続応答を送信する。
【００３０】
つまり、基地局１１と端末１２の間で、基地局１１が、端末１２から端末１２の受信状態を示す情報を取得する受信状態情報取得ステップと、端末１２への着呼情報を所定の送信間隔で送信する第１の着呼情報送信ステップと、端末１２が、着呼情報を所定の受信間隔で受信する着呼情報受信ステップと、基地局１１が、着呼情報を端末１２が受信したか否かを判断する判断ステップと、着呼情報を端末１２が受信していないと判断した場合、端末１２の受信状態を示す情報に基づいて、送信間隔を短縮する送信間隔短縮ステップと、着呼情報の受信間隔を端末１２に短縮させる情報を含む報知情報を送信する報知情報送信ステップと、端末１２が、報知情報を受信した場合、受信間隔を短縮する受信間隔短縮ステップと、基地局１１が、前記短縮した送信間隔で、着呼情報を送信する第２の着呼情報送信ステップと、を経て、無線通信が行われる。
【００３１】
また、上述した基地局１１と端末１２の間の無線通信方法において、基地局１１が複数の端末１２と無線通信を行う場合、受信状態情報取得ステップでは、基地局１１が、端末１２の受信状態を示す情報と、端末１２の識別情報を取得し、報知情報送信ステップでは、基地局１１が、着呼情報の受信間隔を端末１２に短縮させる情報と、着呼情報の受信間隔を短縮させる対象となる端末１２の識別情報を含む報知情報を送信し、受信間隔短縮ステップでは、端末１２が、報知情報を受信した場合、識別情報から、端末１２が着呼情報の受信間隔を短縮させる対象であるか判断するステップと、受信間隔を短縮させる対象が端末１２である場合、受信間隔を短縮するステップと、を有する。
【００３２】
また、上述した基地局１１と端末１２の間の無線通信方法において、無線接続時に取得する端末１２の受信状態を示す情報は、端末１２が、基地局１１から送信される着呼情報の受信に必要とする電力を示す情報であり、基地局１１は、情報の受信に必要とする電力に基づいて、着呼情報の送信間隔、及び端末１２の受信間隔を短縮させる。
また、上述した基地局１１と端末１２の間の無線通信方法において、送信間隔ステップは、更に着呼により通信するセッションの優先度に基づいて送信間隔を短縮する。
また、上述した基地局１１と端末１２の間の無線通信方法において、基地局１１が端末１２とデータチャネルを接続した場合、短縮した送信間隔、及び受信間隔を所定の間隔に戻す。
【００３３】
このように、基地局１１が、端末１２に対し呼び出しをする際、ページ（Ｐａｇｅ）と呼ばれる、端末１２が一定間隔で受信する制御チャネル以外に、ページ同様、端末１２が一定間隔毎に受信する報知情報に含まれる端末１２のセッションＩＤ群情報を、電力制御のレベル単位に設定し、端末１２で必要なページ応答時間と待ち受け時間を考慮して、端末１２のページ受信回数を増加させる。
【００３４】
つまり、基地局１１が端末１２との間のデータチャネルが存在せず、呼び出しにページと呼ばれる制御チャネルを使用する場合、基地局１１から端末１２に報知する報知情報に、要求する電力制御レベルに分類したセッションＩＤ群情報を設定して通知し、端末１２のセッションＩＤが、報知情報に設定されたセッションＩＤ群情報と一致する場合、基地局１１から要求された電力制御レベルに応じてページ受信間隔を調整し、基地局１１から端末１２への呼び出し時のみページの受信試行回数を増加させることで、呼び出し時にページに対する端末１２の応答時間をできるだけ短縮し、応答性を向上させている。
【００３５】
従って、端末１２の電力制御を考慮しつつ、呼び出しから応答までの時間が重要なＶｏＩＰの、着信等に要する時間を短縮することができる。また、接続要求が行われる迄の所定時間のみ、ページの送信間隔及び受信間隔を短縮することで、端末１２のバッテリ消費を抑制しつつ応答時間を短縮させることができる。
なお、本発明は、上述した実施の形態により説明したが、この実施の形態に限定されるものではない。従って、本発明の趣旨を逸脱することなく変更態様として実施するものも含むものである。
【図面の簡単な説明】
【００３６】
【図１】この発明の一実施の形態に係る無線通信方法を示す説明図である。
【図２】図１の無線通信システムの概略構成を示すブロック図である。
【図３】基地局における端末との接続処理の流れを示すフローチャートである。
【図４】端末における基地局との接続処理の流れを示すフローチャートである。
【図５】基地局と端末の間におけるメッセージのやり取りを示すシーケンス図である。
【図６】従来の無線通信方法により基地局が端末を呼び出す場合の一例を示す説明図である。
【図７】図６において、端末がページの受信に失敗している場合を示す説明図である。
【符号の説明】
【００３７】
１０  無線通信システム
１１  基地局
１２  端末
１３  基地局制御部
１４  報知情報送信部
１５  ページ送信部
１６  受信状態情報受信部
１７  データチャネル接続情報送受信部
１８  報知情報受信部
１９  ページ受信部
２０  端末制御部
２１  受信状態情報送信部
２２  データチャネル接続情報送受信部
【図１】
2008211628.tif 000003
【図２】
2008211628.tif 000004
【図３】
2008211628.tif 000005
【図４】
2008211628.tif 000006
【図５】
2008211628.tif 000007
【図６】
2008211628.tif 000008
【図７】
2008211628.tif 000009